(57)【要約】【課題】配線を電源収納ケースと基台との一部が離間した離間領域の内部において電源収納ケースに沿って配策したことにより、配線の配策作業を容易に行うことができる照明装置を提供すること。【解決手段】両端に口金を有する直管型の照明装置であって、発光素子を実装した光源基板と、口金からの外部電力を光源基板に供給する電源装置と、電源装置を収納する筒状の電源収納ケースと、光源基板を支持する支持面を表面側に有し、支持面とは反対の裏面側に電源収納ケースを内包した基台と、電源装置と光源基板とを電気的に接続する配線と、を備え、電源収納ケースと基台とは、一部が離間した離間領域を有し、配線は、離間領域の内部において電源収納ケースに沿って配策した。【選択図】図２
2017050100.tif 000002
【特許請求の範囲】
【請求項１】
両端に口金を有する直管型の照明装置であって、
発光素子を実装した光源基板と、
前記口金からの外部電力を前記光源基板に供給する電源装置と、
前記電源装置を収納する筒状の電源収納ケースと、
前記光源基板を支持する支持面を表面側に有し、前記支持面とは反対の裏面側に前記電源収納ケースを内包した基台と、
前記電源装置と前記光源基板とを電気的に接続する配線と、を備え、
前記電源収納ケースと前記基台とは、
一部が離間した離間領域を有し、
前記配線は、
前記離間領域の内部において前記電源収納ケースに沿って配策した、照明装置。
【請求項２】
前記電源収納ケースは、
管外側の端部寄りに、前記配線をケース外部からケース内部へと案内する開口を有する、
ことを特徴とする請求項１に記載の照明装置。
【請求項３】
前記口金は、
前記電源装置を支持する支持ブラケットを備え、
前記支持ブラケットは、
前記口金から前記電源装置へと外部電力を供給する給電配線を案内するとともに、前記挿通穴を挿通した前記配線を前記光源基板へと案内する、案内口を備える、
ことを特徴とする請求項２に記載の照明装置。
【請求項４】
前記配線は、
高電位側配線と低電位側配線の２本を備えるとともに、前記電源装置の管内側の端部に一端が接続され、
前記高電位側配線及び前記低電位側配線の一方の他端を、前記離間領域の内部において前記電源収納ケースに沿って配策した後に、前記光源基板の一端に接続し、
前記高電位側配線及び前記低電位側配線の他方の他端を、前記基台の内部を配策した後に、前記光源基板の他端に接続した、
ことを特徴とする請求項１乃至請求項３のいずれか１の請求項に記載の照明装置。
【発明の詳細な説明】
【技術分野】
【０００１】
本発明は、照明光源に発光素子を用いた直管型の照明装置に関する。
【背景技術】
【０００２】
従来、照明光源に発光素子を用いた直管型の照明装置には、発光素子へと電力供給をするための電源装置を備えたものが既に知られている。
【０００３】
この際、外部電力は、口金から電源装置へと供給し、この電源装置によって電流の変換等の電気的処理を行ったうえで、発光素子を実装した光源基板へと供給している。
【０００４】
また、例えば、照明装置を組み立てる際に電源装置を保護するために、筒状の電源収納ケースに電源装置を収納したものが知られている（例えば、特許文献１参照）。
【先行技術文献】
【特許文献】
【０００５】
【特許文献１】特開２０１４−０５３２６６号公報
【発明の概要】
【発明が解決しようとする課題】
【０００６】
しかしながら、このような電源装置を電源収納ケースで保護した場合、外部電力を口金から電源装置を経由して光源基板へと給電するには、特に、電源装置から光源基板へと給電する配線の配策作業が煩雑化し易いという問題が生じていた。
【０００７】
例えば、上述した特許文献１では、口金から電源装置への電力供給のための配線と、電源装置から光源基板への電力供給のための配線とが同じ経路（例えば、電源収納ケースの内部）で往復するような配策経路を採用している。これにより、電源装置から光源基板への電力供給のための配線が電源装置を構成する電子部品等に引っ掛かり易く、配策作業が煩雑化してしまうという問題が生じていた。
【０００８】
本発明は、上述のような課題を解決するために、配線の配策作業を容易に行うことができる照明装置を提供することを目的とする。
【課題を解決するための手段】
【０００９】
本発明に係る照明装置は、上記目的を達成のため、両端に口金を有する直管型の照明装置であって、発光素子を実装した光源基板と、口金からの外部電力を光源基板に供給する電源装置と、電源装置を収納する筒状の電源収納ケースと、光源基板を支持する支持面を表面側に有し、支持面とは反対の裏面側に電源収納ケースを内包した基台と、電源装置と光源基板とを電気的に接続する配線と、を備え、電源収納ケースと基台とは、一部が離間した離間領域を有し、配線は、離間領域の内部において電源収納ケースに沿って配策した、ものである。
【発明の効果】
【００１０】
本発明によれば、配線を電源収納ケースと基台との一部が離間した離間領域の内部において電源収納ケースに沿って配策したことにより、配線の配策作業を容易に行うことができる。
【図面の簡単な説明】
【００１１】
【図１】本発明の一実施の形態に係る照明装置の分解側面図である。
【図２】本発明の一実施の形態に係る照明装置の断面図である。
【図３】本発明の一実施の形態に係る照明装置に適用される口金の側面図である。
【図４】本発明の一実施の形態に係る照明装置に適用される口金の斜視図である。
【図５】本発明の一実施の形態に係る照明装置における概略構成のブロック回路図である。
【図６】本発明の一実施の形態に係る照明装置における他の概略構成のブロック回路図である。
【発明を実施するための形態】
【００１２】
以下に本発明の好適な実施の形態について、図面を参照しながら説明する。なお、本実施の形態として示す照明装置は、天井等に設置の照明器具に着脱可能な直管型の照明装置に適用したものである。
【００１３】
図１において、照明装置１は、略半割の基台２及び略半割の透光性カバー３を重ね合せることで全体を略円筒形状としており、その両端に口金４を接続している。なお、基台２及び透光性カバー３を重ね合わせたときの断面形状は真円に限定されるものではない。また、基台２及び透光性カバー３の断面形状が互いに半円に限定されるものでもない。照明装置１は、電源回路５を含む所定の電子回路部品を実装した電源装置６と、電源装置６を保護する筒状の電源収納ケース７と、複数の発光素子８を実装した光源基板９と、を備える。
【００１４】
図２に示すように、基台２は、鉄に比べて軽量かつ熱伝導率の高いアルミニウム等の金属を用い、例えば、平面状の基台部２ａを有するように所定の断面形状（例えば、略Ｄの字型）で押出成型し、所定の長さに切断することによって形成している。基台２は、管軸Ｐに沿って延び、径方向外向きに開口する係合溝部２ｂを両側縁部に全長に亘って有している。基台２は、係合溝部２ｂに隣接して管軸Ｐに沿って延びるネジ挿入穴２ｃを有する。なお、基台部２ａは、光源基板９を支持する表面側を支持面とし、この支持面とは反対の裏面側で電源収納ケース７を内包している。
【００１５】
図２に示すように、透光性カバー３は、半透明の合成樹脂、例えば、ポリカーボネートやアクリル樹脂を材料に断面略半円弧状の形状に形成している。透光性カバー３は、管軸Ｐに沿って延びる両端近傍の両内縁部に、径方向内向きに向けて突出する係合爪３ａを形成している。この係合爪３ａは、基台２の係合溝部２ｂと係合する。これにより、透光性カバー３は、基台２に保持される。
【００１６】
図１に示すように、両端の口金４のうち、一方の口金４は、外部電源と電気的に接続した給電側となっていて、支持ブラケット２０を固定している。これに対し、他方の口金４は、外部電源と電気的な接続はなく、図示しない照明器具と係合する。口金４は、ネジ１０をネジ挿入穴２ｃに螺合させることによって基台２に固定される。口金４は、断面略円弧状のガイド片４ａを一体に有している。
【００１７】
ガイド片４ａは、発光素子８からの照射光を透過する透光性カバー３の端部を支持する。したがって、ガイド片４ａは、断面円弧形状とし、少なくとも、透光性カバー３の端部と口金４との隙間を周方向に跨って支持することで隙間を内側から塞ぐ目隠し機能を具備している。
【００１８】
図１に示すように、電源装置６は、管外側の端部に入力側の接続端子６ａを有し、管内側の端部に出力側の接続端子６ｂを有する。電源装置６は、一方の口金４において、支持ブラケット２０によって片持ち状態で固定される。
【００１９】
図２に示すように、電源収納ケース７は、例えば樹脂などの絶縁材料からなるものであって、給電側の口金４から管内側に向って延びる底壁７ａと、底壁７ａの長手方向に沿う縁部から立ち上がる一対の縦壁７ｂと、縦壁７ｂの上端間に跨る上壁７ｃと、で両端を開放する筒状に形成している。電源装置６を覆う閉断面形状に形成している。
【００２０】
図１に示すように、縦壁７ｂには、管外側の端部寄りに係合穴７ｄを形成している。一方の縦壁７ｂには、管外側の端部寄りに開口としての挿通穴７eを形成している。図２に示すように、本実施の形態において、電源収納ケース７の縦壁７ｂと基台２とは、一部が離間した離間領域１１を形成している。なお、挿通穴７ｅに代えて端部に開放する切欠を開口として形成してもよい。
【００２１】
図１に示すように、光源基板９は、一端に入力側の接続端子９ａを有し、他端に出力側の接続端子９ｂを有する。図２に示すように、光源基板９は、裏面側が反射部材１２によって基台部２ａの表面側に固定される。光源基板９は、発光素子８を除く表面側を反射部材１３で覆われている。
【００２２】
図２に示すように、反射部材１２及び反射部材１３は、例えば、ＰＥＴ（ポリエチレンテレフタレート）をシート状としたものが用いられている。反射部材１２は、一面側が両面テープ（図示せず）等によって基台部２ａに固定されている。反射部材１３は、一面側が両面テープ（図示せず）等によって反射部材１２に固定されている。反射部材１２は、他面側に両面テープ（図示せず）等によって光源基板９を固定している。
【００２３】
図３及び図４に示すように、支持ブラケット２０は、一方の口金４と内側で嵌め合う断面円弧形状の嵌合片２１と、嵌合片２１の管内側に隣接しネジ１０が貫通する貫通穴２２ａを有するフランジ２２と、基台２を支持する断面円弧形状の基台支持片２３と、基台支持片２３の端面において案内口２４を有するように基台支持片２３の下端から突出するブリッジ２５と、ブリッジ２５から管内側に向けて突出する一対の表面側固定片２６及び裏面側固定片２７と、を一体に備える樹脂成型品である。
【００２４】
基台支持片２３は、基台２の端部とフランジ２２との隙間を周方向に跨って支持することで隙間を塞ぐ目隠し機能を具備させるため、断面略半円弧形状としている。
【００２５】
表面側固定片２６は、光源基板９とは別体で発光素子８の点灯を制御する電源回路５を実装した電源装置６を固定するように管内側に向けて突出しており、裏面側固定片２７と協働して電源装置６を挟んで固定する。
【００２６】
このように、一対の表面側固定片２６と裏面側固定片２７とで電源装置６を挟んで固定することにより、例えば、照明装置１を照明器具に対して交換する際に、電源装置６を安定させることができる。
【００２７】
表面側固定片２６は、電源回路５を実装した表面側で電源装置６を固定する。一対の表面側固定片２６と裏面側固定片２７とは、管内側に向けて管軸Ｐに沿って平行に突出した舌片状である。すなわち、一対の表面側固定片２６と裏面側固定片２７とを平行な舌片状とすることにより、成型加工の容易化に貢献することができるうえ、電源装置６をより安定して挟持し、固定することができる。
【００２８】
一対の表面側固定片２６と裏面側固定片２７とは、光源基板９よりも管内側に向けて突出した位置で電源装置６を固定している。すなわち、光源基板９は、照明装置１の管内スペースの全長に跨るように配置することによって、できるだけ広い範囲で発光素子８を実装して照明範囲を広く確保するのが好ましい。
【００２９】
したがって、長尺な光源基板９よりも管内側に向けて突出した位置で電源装置６を固定することによって、光源基板９の接続端子９ａの位置と電源装置６の接続端子６ｂの位置とをずらすことができる。これにより、接続端子９ａ及び接続端子６ｂの周辺にコネクタ接続作業空間を確保することができ、コネクタ接続作業を容易に行うことができる。
【００３０】
表面側固定片２６は、裏面側固定片２７と対向する面に裏面側固定片２７に向けて突出するランス状の係合爪２６ａを形成している。係合爪２６ａは、電源装置６に形成した係合穴６ｃと係合する。これにより、表面側固定片２６と裏面側固定片２７とは、基台２の内部であって電源収納ケース７に収納状態の電源装置６を管外側で片持ち状態で固定するする。
【００３１】
裏面側固定片２７は、表面側固定片２６と対向する部位に係合爪２６ａを形成するための開口２７ａを形成している。裏面側固定片２７は、電源収納ケース７の係合穴７ｄと係合する係合突起２７ｂと、電源収納ケース７の底壁７ａの端部を突き当てるストッパ壁２７ｃと、を備える。これにより、裏面側固定片２７は、基台２に収納状態の電源収納ケース７を管外側で片持ち状態で保持する。
【００３２】
このように、本実施の形態の支持ブラケット２０は、電源装置６を表面側固定片２６で位置決め状態で固定するとともに、電源収納ケース７を裏面側固定片２７で保持することができる。
【００３３】
この状態から、基台２及び透光性カバー３を組み合わせた状態で、口金４の管外側から貫通穴２２ａを貫通させて基台２のネジ挿入穴２ｃにネジ１０を螺合し、基台２と透光性カバー３とを支持ブラケット２０を介して口金４に固定する。
【００３４】
次に、図５に基づいて本実施の形態における配線構造を説明する。給電側となる一方の口金４には、一対の端子ピン１４を突出させている、端子ピン１４は、一方を高電位側端子ピン１４Ａとし、他方を低電位側端子ピン１４Ｂとしている。
【００３５】
端子ピン１４には、給電配線１５の一端が接続されている。給電配線１５は、一方を高電位側給電配線１５Ａとし、他方を低電位側給電配線１５Ｂとしている。高電位側給電配線１５Ａと低電位側給電配線１５Ｂの各他端は、支持ブラケット２０の案内口２４から引き出されて電源装置６の入力側の接続端子６ａに接続される。接続端子６ａと出力側の接続端子６ｂとは、電源回路５といった電子部品や電源装置６のプリント配線（図示せず）により電気的に接続されている。
【００３６】
さらに、接続端子６ｂには、配線１６の一端が接続されている。配線１６は、一方を高電位側配線１６Ａとし、他方を低電位側配線１６Ｂとしている。高電位側配線１６Ａの他端は光源基板９の入力側の接続端子９ａに接続され、低電位側配線１６Ｂの他端は光源基板９の低電位側の接続端子９ｂに接続されている。
【００３７】
このような基本構成において、本実施の形態に係る照明装置１は、両端に口金４を有する直管型の照明装置１であって、発光素子８を実装した光源基板９と、口金４からの外部電力を光源基板９に供給する電源装置６と、電源装置６を収納する筒状の電源収納ケース７と、光源基板９を支持する支持面を表面側に有し、支持面とは反対の裏面側に電源収納ケース７を内包した基台２と、電源装置６と光源基板９とを電気的に接続する配線１６と、を備え、電源収納ケース７と基台２とは、一部が離間した離間領域１１を有し、配線１６は、離間領域１１の内部において電源収納ケース７に沿って配策することにより、電源装置６から光源基板９への電力供給のための配線１６が電源装置６を構成する電源回路５などの電子部品等に引っ掛かることがなく、配線１６の配策作業を容易に行えるようにすることにある。
【００３８】
すなわち、配線１６は、高電位側配線１６Ａと低電位側配線１６Ｂの２本を備えるとともに、電源装置６の管内側の端部（接続端子６ｂ）に一端が接続される。高電位側配線１６Ａの他端は離間領域１１の内部において電源収納ケース７に沿って配策した後に、光源基板９の一端（接続端子９ａ）に接続する。低電位側配線１６Ｂの他端は、基台２の内部を配策した後に、光源基板９の他端（接続端子９ｂ）に接続する。
【００３９】
この際、高電位側配線１６Ａは、電源装置６の管内側に位置する接続端子６ｂから管外側へと向けて配策される。本実施の形態では、電源収納ケース７は、管外側の端部寄りに高電位側配線１６Ａをケース外部からケース内部へと挿通する挿通穴７ｅを有している。また、給電側である一方の口金４は、電源装置６を支持する支持ブラケット２０を備え、支持ブラケット２０は、口金４から電源装置６へと外部電力を供給する給電配線１５を案内するとともに、挿通穴７ｅを挿通した高電位側配線１６Ａを光源基板９へと案内する、案内口２４を備える。なお、上述したように、電源収納ケース７に、挿通穴７ｅに代えて切欠を形成した場合には、この切欠に高電位側配線１６Ａの一部を位置させて高電位側配線１６Ａをケース外部からケース内部へと案内することができる。
【００４０】
これにより、離間領域１１の内部において電源収納ケース７に沿って配策した高電位側配線１６Ａは、挿通穴７ｅを挿通することでケース外からケース内へと挿通された後、案内口２４を経由して光源基板９の一端である接続端子９ａに接続することができる。
【００４１】
このように、配線１６は、一方の高電位側配線１６Ａにあっては電源収納ケース７の内部を貫通することなく配策することができ、他方の低電位側配線１６Ｂにあっては電源装置６が存在しない基台２の内部を配策することができる。
【００４２】
このように、本実施の形態の照明装置１は、電源収納ケース７と基台２との間に離間領域１１を有するとともに、高電位側配線１６Ａを離間領域１１の内部において電源収納ケース７に沿って配策することができる。これにより、電源装置６から光源基板９への電力供給のための高電位側配線１６Ａが電源装置６を構成する電源回路５などの電子部品等に引っ掛かることがなく、配線１６Ａの配策作業を容易に行うことができる。
【００４３】
なお、以上において、口金４の組み付け手順、照明装置１の組み付け手順は、単なる一例を示すものであり、必ずしも上述した手順でのみ組み付けが可能なものではない。また、例えば、配線１６は、高電位側と低電位側とが逆であってもよい。
【００４４】
その他、本発明は、その趣旨を逸脱しない範囲内において、種々の変更が加えられて実施されるものである。
【００４５】
例えば、上記実施の形態では、一方の高電位側配線１６Ａを管内側から管外側へと向けて離間領域１１の内部を電源収納ケース７に沿って配策した例を開示したが、これに下呈されるものではない。具体的には、図６に示すように、高電位側配線１６Ａと低電位側配線１６Ｂの２本の各端部を光源基板９の一方側に接続した場合、高電位側配線１６Ａ及び低電位側配線１６Ｂの両方を離間領域１１の内部を電源収納ケース７に沿って配策してもよい。この際、高電位側配線１６Ａと低電位側配線１６Ｂとは、一つの離間領域１１の内部において配策してもよいし、独立して電源収納ケース７の両側の離間領域１１の内部において配策してもよい。
【００４６】
また、上記実施の形態では、天井等に埋め込んだ照明器具に着脱可能な直管型の照明装置１に適用したものであるが、天井から吊り下げた照明器具や、縦置き型の照明器具などのように、照明器具に着脱可能（交換可能）な直管型の照明装置１の全般に適用することも可能である。
【００４７】
また、上記実施の形態で、開示した光源の他に、例えば、レーザーダイオードや有機発光ダイオードなどを利用することができ、光源の種類は特に限定されるものではない。
【００４８】
以上説明したように、本発明に係る照明装置は、配線の配策作業を容易に行うことができるという効果を有し、管状の照明装置の全般に有用である。
【符号の説明】
【００４９】
１    照明装置
２    基台
２ａ  基台部（支持面）
３    透光性カバー
４    口金
５    電源回路
６    電源装置
７    電源収納ケース
７ｅ  挿通穴（開口）
８    発光素子
９    光源基板
１１    離間領域
１５    給電配線
１６    配線
２０    支持ブラケット
２４    案内口
【図１】
2017050100.tif 000003
【図２】
2017050100.tif 000004
【図３】
2017050100.tif 000005
【図４】
2017050100.tif 000006
【図５】
2017050100.tif 000007
【図６】
2017050100.tif 000008